(57)【要約】【課題】ブラケットの他の部材への固定後におけるケース本体及びブラケットの脱落及び破損を防止し、かつ組み立てが容易なブラケット付ケースを提供する。【解決手段】本開示は、回路基板を収納可能なケース本体と、ブラケットとを備えるブラケット付ケースである。ブラケットは、ケース本体の表面に取り付けられる。また、ブラケットは、スライド板と、回転規制板と、固定部とを有する。スライド板は、スライドによりケース本体に係合される。回転規制板は、スライド板のスライド面と交差する仮想軸を中心としたケース本体のブラケットに対する相対的な回転を規制する。固定部は、他の部材にブラケットを固定する。また、スライド板は、ケース本体のブラケットが取り付けられる面に沿ったスライドによってケース本体に係合されている。【選択図】図１
2018093025.tif 000002
【特許請求の範囲】
【請求項１】
回路基板を収納可能なケース本体と、
前記ケース本体の表面に取り付けられるブラケットと
を備えるブラケット付ケースであって、
前記ブラケットは、
前記ケース本体にスライドにより係合されるスライド板と、
前記スライド板のスライド面と交差する仮想軸を中心とした前記ケース本体の前記ブラケットに対する相対的な回転を規制する回転規制板と、
他の部材に前記ブラケットを固定するための固定部と
を有し、
前記スライド板は、前記ケース本体の前記ブラケットが取り付けられる面に沿ったスライドによって前記ケース本体に係合されている、ブラケット付ケース。
【請求項２】
前記固定部は、板状部と、前記板状部に設けた１つの貫通孔とを有し、
前記ブラケットは、前記貫通孔の中心軸方向に延伸する板状の回り止め部をさらに有する、請求項１に記載のブラケット付ケース。
【請求項３】
前記回転規制板は、前記ケース本体の前記ブラケットが取り付けられる面以外の面と対向している、請求項１又は請求項２に記載のブラケット付ケース。
【請求項４】
前記回転規制板は、前記スライド板のスライド方向に延伸している、請求項１から請求項３のいずれか１項に記載のブラケット付ケース。
【請求項５】
前記回転規制板は、前記スライド方向において、前記固定部における前記他の部材への固定点と重なる領域に存在する、請求項４に記載のブラケット付ケース。
【請求項６】
前記ケース本体は、前記ブラケットが取り付けられる面に突設された係合部を有し、
前記スライド板は、スライド方向に延伸するスリットを有し、
前記スリットは、他の部分よりも拡幅したフック部を有し、
前記フック部は、前記スライド板のスライドによって前記係合部に係合する位置に配置され、
前記フック部と前記係合部との係合により、前記ケース本体と前記ブラケットとの相対位置が固定される、請求項１から請求項５のいずれか１項に記載のブラケット付ケース。
【請求項７】
請求項１から請求項６のいずれか１項に記載のブラケット付ケースと、
前記ケース本体に収納された回路基板と
を備える回路基板ユニット。
【発明の詳細な説明】
【技術分野】
【０００１】
本開示は、ブラケット付ケースに関する。
【背景技術】
【０００２】
例えば自動車のガスセンサ装置等において、センサを制御又は駆動するための回路基板をケース本体で保護したものが公知である（特許文献１参照）。このようなセンサ装置のケース本体は、自動車の車体等の構造物に固定して使用される。
【０００３】
ケース本体の車体等への固定には、一般にケース本体に金属製のブラケットを取り付け、このブラケットをネジ等で車体等に固定することで行われている。
【先行技術文献】
【特許文献】
【０００４】
【特許文献１】特開２０１２−１４１３００号公報
【発明の概要】
【発明が解決しようとする課題】
【０００５】
従来のケースでは、ブラケットのケース本体に対する取り付け強度が不十分であると、ブラケットを車体等に固定した後、ケースに力が加わった際にケース本体がブラケットに対し相対回転することがある。その結果、ブラケットからケース本体が脱落したり、ブラケット又はケース本体が破損したりするおそれがある。しかし、ブラケットをケース本体に強固に取り付ける構造を採用すると、部材コストや組み立てコストが増大するという不都合が生じる。
【０００６】
本開示の一局面は、ブラケットの他の部材への固定後におけるケース本体及びブラケットの脱落及び破損を防止し、かつ組み立てが容易なブラケット付ケースを提供することを目的とする。
【課題を解決するための手段】
【０００７】
本開示の一態様は、回路基板を収納可能なケース本体と、ブラケットとを備えるブラケット付ケースである。ブラケットは、ケース本体の表面に取り付けられる。また、ブラケットは、スライド板と、回転規制板と、固定部とを有する。スライド板は、ケース本体にスライドにより係合される。回転規制板は、スライド板のスライド面と交差する仮想軸を中心としたケース本体のブラケットに対する相対的な回転を規制する。固定部は、他の部材にブラケットを固定する。また、スライド板は、ケース本体のブラケットが取り付けられる面に沿ったスライドによってケース本体に係合されている。
【０００８】
このような構成によれば、回転規制板によってブラケットに対しケース本体が回転することが規制される。そのため、スライドによってブラケットをケース本体へ取り付けても、ケース本体のブラケットに対する回転によってケース本体及びブラケットが脱落及び破損することを防止できる。その結果、スライド組み付けにより組み立てを容易にしつつ、ブラケット付ケースの耐性を高めることができる。
【０００９】
本開示の一態様では、固定部は、板状部と、板状部に設けた１つの貫通孔とを有してもよい。ブラケットは、貫通孔の中心軸方向に延伸する板状の回り止め部をさらに有してもよい。このような構成によれば、ブラケットの面積を小さくできるので材料コストを低減できる。また、固定作業の工数も低減できる。
【００１０】
本開示の一態様では、回転規制板は、ケース本体のブラケットが取り付けられる面以外の面と対向していてもよい。このような構成によれば、より確実にケース本体のブラケットに対する回転を規制できる。
【００１１】
本開示の一態様では、回転規制板は、スライド板のスライド方向に延伸していてもよい。このような構成によれば、回転規制板がスライド時のガイドとなるため、ブラケットのケース本体への取り付けがより容易に行える。
【００１２】
本開示の一態様では、回転規制板は、スライド方向において、固定部における他の部材への固定点と重なる領域に存在してもよい。このような構成によれば、ケース本体のブラケットに対する回転規制効果を促進できる。
【００１３】
本開示の一態様では、ケース本体は、ブラケットが取り付けられる面に突設された係合部を有してもよい。スライド板は、スライド方向に延伸するスリットを有してもよい。スリットは、他の部分よりも拡幅したフック部を有してもよい。フック部は、スライド板のスライドによって係合部に係合する位置に配置され、フック部と係合部との係合により、ケース本体とブラケットとの相対位置が固定されていてもよい。このような構成によれば、ケース本体へのブラケットの取り付け作業を容易にしつつ、ブラケットを安定して保持することができる。
【００１４】
本開示の別の態様は、ブラケット付ケースと、ケース本体に収納された回路基板とを備える回路基板ユニットである。このような構成によれば、組み立てが容易で、かつ他の部材への固定後のケースの耐性に優れた回路基板ユニットを得ることができる。
【図面の簡単な説明】
【００１５】
【図１】実施形態のブラケット付ケースを示す模式的な斜視図である。
【図２】図１のブラケット付ケースをＹ軸を中心に反転させた状態の模式的な斜視図である。
【図３】第２面側から視た図１のブラケット付ケースのケース本体を示す模式的な斜視図である。
【図４】図４Ａは、図１のブラケット付ケースのブラケットを示す模式的な斜視図であり、図４Ｂは、図４ＡのブラケットをＹ軸を中心に反転させた状態の模式的な斜視図である。
【発明を実施するための形態】
【００１６】
以下、本開示が適用された実施形態について、図面を用いて説明する。
［１．第１実施形態］
［１−１．構成］
図１に示すブラケット付ケース１は、電子機器を制御又は駆動するための回路基板を保護しつつ、自動車の車体等の他の部材に固定できるケースである。ブラケット付ケース１は、回路基板を収納可能な有底筒状のケース本体２と、ケース本体２の開口を塞ぐ端子挿通部３と、ケース本体２の表面に取り付けられるブラケット４とを備える。
【００１７】
＜ケース本体＞
ケース本体２は、一方の端部が閉じられた有底筒状体である。ケース本体２は、一般に樹脂で形成される。
【００１８】
ケース本体２は、図１及び図２に示すように、Ｘ−Ｙ方向に延伸し、Ｚ軸方向に対向する第１面２１及び第２面２２と、第１面２１及び第２面２２を連結する第３面２３及び第４面２４と、ケース本体２の開口と対向する第５面２５とを有する。なお、図中のＸ軸は、ケース本体２の中心軸と平行な軸であり、Ｚ軸は、回路基板の板面と垂直な軸であり、Ｙ軸は、Ｘ軸及びＺ軸に垂直な軸である。
【００１９】
第１面２１及び第２面２２は、ケース本体２に収納される回路基板と対向するように配置され、図中Ｚ軸方向と略垂直に構成される。また、第１面２１及び第２面２２の外形は、ケース本体２の中心軸方向（図中Ｘ軸方向）が長手方向となる長方形状である。第５面２５は、ケース本体２の底面を構成する。これらの面のうち、第２面２２は、図３に示すように滑らかな平面である。
【００２０】
ケース本体２には、図２に示すように、回路基板と接続される複数の第１ケーブル１０１がＸ軸方向に挿通される。具体的には、第５面２５の第２面２２側の領域に複数の挿通孔が形成され、この複数の挿通孔に複数の第１ケーブル１０１が挿通される。
【００２１】
ケース本体２の第２面２２は、ブラケット４が取り付けられる面である。そのため、図３に示すように、第２面２２には、ブラケット４のスライド板４１が係合可能な係合部２６が付設されている。
【００２２】
（係合部）
係合部２６は、第２面２２からＺ軸方向外側に突出している。係合部２６は、スライド板４１のフック部４１Ｂが係止するストッパ部２６Ａと、スライド板４１を案内するガイド部２６Ｂとを有する。
【００２３】
ストッパ部２６Ａは、第２面２２上に設置され、スライド板４１のスライド方向に向かって第２面２２からの高さ（つまり厚み）が大きくなるように構成された板状部材である。つまり、ストッパ部２６Ａの表面は、スライド方向に沿って第２面２２からの距離が大きくなる傾斜面である。なお、スライド板４１のスライド方向は、ケース本体２の長手方向（図中Ｘ軸方向）と平行である。
【００２４】
ガイド部２６Ｂは、Ｘ軸方向に延伸する帯状部とＹ軸方向に延伸する帯状部とを組み合わせたＬ字状の板部分と、この板部分を支える脚部分とから構成される。
ガイド部２６Ｂの板部分は、第２面２２と平行に、かつ第２面２２と離間して配置されている。この板部分と第２面２２との間の空間をスライド板４１がスライドする。
【００２５】
ガイド部２６Ｂの脚部分は、板部分のＹ軸方向中央に設けられ、板部分を第２面２２に連結している。脚部分は、Ｘ軸方向に延伸しており、スライド板４１は、スリット４１Ａでこの脚部分を挟むようにスライドする。
【００２６】
ガイド部２６Ｂの板部分は、Ｚ軸方向視で、正方形の４隅のうち、スライド方向の進行側の一隅を切欠いたＬ字形状を有している。ストッパ部２６Ａは、この切欠き部分に配置されている。
【００２７】
＜端子挿通部＞
端子挿通部３は、ケース本体２よりも中心軸方向の長さが短い有底筒状体である。端子挿通部３は、ケース本体２と同様、一般に樹脂で形成される。
【００２８】
端子挿通部３は、ケース本体２の開口側の端部に外嵌されている。具体的には、端子挿通部３は、複数の嵌合孔３１を有しており、各嵌合孔３１にケース本体２の嵌合爪２７が嵌合することで、ケース本体２に固定されている。
【００２９】
また、端子挿通部３には、図１に示すように、回路基板と接続される複数の第２ケーブル１０２がＸ軸方向に挿通される。具体的には、端子挿通部３の底面に複数の挿通孔が形成され、この複数の挿通孔に複数の第２ケーブル１０２が挿通される。
【００３０】
＜ブラケット＞
ブラケット４は、ブラケット付ケース１を他の部材に固定するための部材であり、一般に金属で形成される。
【００３１】
ブラケット４は、図２に示すように、ケース本体２にスライドにより係合されるスライド板４１と、スライド板４１のスライド面（つまり、第２面２２と当接する面）と交差する仮想軸Ｐを中心としたケース本体２の回転を規制する回転規制板４２と、他の部材にブラケット４を固定するための固定部４３と、ブラケット４の他の部材に対する回転を規制する回り止め部４４とを有する。
【００３２】
（スライド板）
スライド板４１は、図２に示すように、ケース本体２のブラケット４が取り付けられる第２面２２に沿ったスライドによってケース本体２の係合部２６に係合されている。スライド板４１は第２面２２と平行に配置され、スライド板４１の板面（つまりスライド面）はＺ軸に垂直である。
【００３３】
スライド板４１は、図４Ａに示すように、スライド方向Ｓに延伸するスリット４１Ａと、スリット４１Ａと平行に設けられた補助スリット４１Ｃと、スリット４１Ａと平行に設けられた凸条部４１Ｄとを有する。
【００３４】
スリット４１Ａは、スライド板４１のスライド方向Ｓの先端部を始点とし、Ｘ軸と平行に延伸している。スリット４１Ａは、他の部分よりも拡幅したフック部４１Ｂを有する。スリット４１Ａにおけるフック部４１Ｂ以外の部分の幅は、一定幅であり、係合部２６のガイド部２６Ｂの脚部が係合できる大きさに形成されている。
【００３５】
フック部４１Ｂは、スライド板４１を第２面２２に沿ってスライド方向Ｓにスライドさせた際に、係合部２６のストッパ部２６Ａに係止可能な位置及び形状に形成されている。つまり、フック部４１Ｂは、図２に示すようにスライド板４１のスライドによって係合部２６のストッパ部２６Ａに係合されている。フック部４１Ｂと係合部２６のストッパ部２６Ａとの係合により、ケース本体２とブラケット４との相対位置が固定される。
【００３６】
補助スリット４１Ｃは、スリット４１Ａと同様に、スライド板４１のスライド方向Ｓの先端部を始点とし、Ｘ軸と平行に延伸している。補助スリット４１Ｃは、スリット４１Ａよりもケース本体２の中心軸に対し外側に設けられている。
【００３７】
凸条部４１Ｄは、スライド板４１の表面に、第２面２２と当接する側に凸となるように形成されている。また、凸条部４１Ｄは、Ｘ軸方向に延伸している。凸条部４１Ｄは、スライド板４１を係合部２６に係合した際に、ガイド部２６Ｂの板部分と第２面２２とで挟持される。
【００３８】
（回転規制板）
回転規制板４２は、スライド板４１のスライド面と交差する仮想軸Ｐを中心としたケース本体２のブラケット４に対する相対的な回転を規制する。仮想軸Ｐは、ケース本体２のスライド板４１上での回転中心軸を意味し、主にスライド板４１のスライド面と直交する（つまり、スライド面の法線と平行な）軸が想定される。ただし、仮想軸Ｐは、スライド板４１のスライド面の法線に対して傾斜していてもよい。
【００３９】
回転規制板４２は、ブラケット４において、スライド板４１の固定部４３とは反対側の端部を、ケース本体２に近づくように折り曲げてＺ軸方向に立設した部分である。つまり、回転規制板４２は、Ｚ軸方向及びスライド方向Ｓ（図中Ｘ軸方向）に延伸しており、その板面はＹ軸と垂直である。
【００４０】
回転規制板４２は、図２に示すように、ケース本体２の第３面２３と対向して配置されている。また、回転規制板４２は、ブラケット４をケース本体２に取り付けた状態、かつケース本体２に外力が加わっていない状態で、ケース本体２の第３面２３に当接せずに近接して設けられている。また、回転規制板４２は、Ｘ軸方向において（つまりＹ軸方向から視て）、固定部４３の他の部材への固定点である貫通孔４３Ｂと重なる領域に存在している。つまり、回転規制板４２は、貫通孔４３Ｂの中心を通り、Ｘ軸と垂直な仮想平面と交差する。
【００４１】
（固定部）
固定部４３は、板状部４３Ａと、板状部４３Ａに設けた１つの貫通孔４３Ｂとを有する。固定部４３は、貫通孔４３Ｂにボルト等の固定具を挿通することで、他の部材にブラケット４を固定する。つまり、貫通孔４３Ｂは、固定部４３における他の部材への固定点であり、ブラケット４は、１つの固定点のみで他の部材に固定される。
【００４２】
板状部４３Ａは、図４Ａ，４Ｂに示すように、ブラケット４において、スライド板４１の回転規制板４２とは反対側に連続する板状の部分である。つまり、回転規制板４２、スライド板４１、及び板状部４３Ａは、Ｙ軸方向にこの順で配置されている。板状部４３Ａは、図１に示すように、ブラケット４をケース本体２に取り付けた状態で、Ｚ軸方向から視て、ケース本体２からＹ軸方向に突出する（つまり、ケース本体２と重ならない）ように配置される。
【００４３】
板状部４３Ａは、周囲よりも他の部材側（つまりケース本体２とは反対側）に窪んだ凹状領域を有し、この凹状領域の中央部分に貫通孔４３Ｂが形成されている。板状部４３Ａの凹状領域の表面はＺ軸と垂直であり、貫通孔４３Ｂの中心軸はＺ軸と平行である。
【００４４】
板状部４３Ａの凹状領域は、図２に示すように、ケース本体２とは反対側の表面が係合部２６のガイド部２６Ｂの表面よりも他の部材側に近接するように形成されている。そのため、ブラケット４の他の部材への固定時には、凹状領域の表面全体が他の部材に当接する。
【００４５】
（回り止め部）
回り止め部４４は、貫通孔４３Ｂから離間した位置でＺ軸方向に延伸する板状部材である。回り止め部４４は、貫通孔４３Ｂに挿通したボルトを回転させる際に、ブラケット４がこの回転につられて貫通孔４３Ｂを中心に回転することを規制する。
【００４６】
具体的には、回り止め部４４は、図４Ａ，４Ｂに示すように、板状部４３ＡのＸ軸方向の端部から凹状領域の窪んだ方向（つまり他の部材側）に突設されている。回り止め部４４の板面は、Ｘ軸と垂直である。
【００４７】
また、回り止め部４４は、Ｙ軸方向において、貫通孔４３Ｂの中心を含む位置に配置されている。つまり、回り止め部４４は、貫通孔４３Ｂの中心を通り、Ｙ軸と垂直な仮想平面と交差する。
【００４８】
さらに詳述すると、ブラケット４は、板状部４３ＡのＸ軸方向の両端部に、それぞれＸ軸と交差し、かつＹ軸と平行に延びる第１リブ４５及び第２リブ４６を有する。回り止め部４４は、図１に示すように、第１リブ４５のＹ軸方向外側の端部近傍から、Ｚ軸方向に延伸した板状部分である。なお、回り止め部４４のＺ軸方向の先端は、板状部４３Ａの凹状領域よりもケース本体２とは反対側に突出している。
【００４９】
＜ブラケットの取り付け方法＞
ここでは、ブラケット４のケース本体２への取り付け方法、すなわちスライド板４１の係合部２６への係合手順について説明する。
【００５０】
まず、スライド板４１の凸条部４１Ｄが設けられている側の面をスライド面としてケース本体２の第２面２２に重ね合わせる。このとき、スリット４１Ａとガイド部２６Ｂの脚部分とが対向するようにＹ軸方向位置を調整する。このとき、回転規制板４２をガイドとすることで、Ｙ軸方向の位置調整が容易にできる。
【００５１】
次に、スライド板４１を第２面２２に沿ってスライド方向Ｓに、フック部４１Ｂがストッパ部２６Ａに係合する位置までスライドさせる。このとき、ガイド部２６Ｂにより、スライド板４１のスライドが案内される。また、回転規制板４２も、スライド板４１のスライドを案内する。
【００５２】
スライド板４１のスライド後、凸条部４１Ｄがガイド部２６Ｂによって押圧されることで、スライド板４１がケース本体２側に押圧される。そのため、スライド板４１のスライドが規制される。
【００５３】
［１−２．効果］
以上詳述した実施形態によれば、以下の効果が得られる。
（１ａ）スライドにより、ブラケット４をケース本体２に取り付けられるので、部品コスト及び組み立てコストが低減される。また、ケース本体２の形状（例えば長さ）が異なっても同じブラケット４を使用することができる。
【００５４】
（１ｂ）回転規制板４２によってブラケット４に対しケース本体２が回転することが規制される。そのため、他の部材への固定後に、ケース本体２の回転によってケース本体２及びブラケット４が脱落及び破損することを防止できる。その結果、ブラケット４のスライド組み付けによるブラケット付ケース１の組み立て容易性と、ブラケット付ケース１の耐性とを両立することができることができる。
【００５５】
（１ｃ）ケース本体２に外力が加わっていない状態で、回転規制板４２はケース本体２に当接していないので、ケース本体２又はブラケット４の振動等により、ケース本体２と回転規制板４２とが衝突して損傷することが防止できる。
【００５６】
（１ｄ）他の部材への固定点である貫通孔４３Ｂが１つだけなので、材料コストを低減できる。また、他の部材への取り付けの工数が低減される。さらに、ブラケット４が回り止め部４４を有するので、ボルト等による固定を容易に行うことができる。
【００５７】
（１ｅ）回転規制板４２がブラケット４のスライド方向に延伸しているため、回転規制板４２がスライド時のガイドとして機能する。その結果、ブラケット４の取り付け作業性が高められる。
【００５８】
（１ｆ）スライド方向Ｓにおいて、回転規制板４２は固定部４３の貫通孔４３Ｂと重なる位置に存在するため、貫通孔４３Ｂに発生する応力に基づくケース本体２のブラケット４に対する回転を効果的に抑制できる。
【００５９】
（１ｇ）回転規制板４２は、ブラケット４のリブとしても機能する。そのため、ブラケット４は、回転規制板４２、第１リブ４５及び第２リブ４６により、曲げに対して高い剛性を発揮する。
【００６０】
［２．第２実施形態］
［２−１．構成］
本開示の第２実施形態は、ブラケット付ケース１と、ケース本体２に収納された回路基板とを備える回路基板ユニットである。
【００６１】
回路基板は、種々の電子機器に接続され、電子機器の制御や駆動を行うものである。電子機器の一例としては、ヒーター、物理量又は化学量を検出するセンサ（より具体的には、被測定ガス中の特定ガス成分の濃度を検出するガスセンサ、被測定流体の温度を検出する温度センサ、被測定流体の圧力を検出する圧力センサなど）等が挙げられる。回路基板には、必要に応じて入力用又は出力用の第１ケーブル１０１及び第２ケーブル１０２が接続される。
【００６２】
［２−２．効果］
以上詳述した実施形態によれば、以下の効果が得られる。
（２ａ）組み立てが容易で、かつ他の部材への固定後のケースの耐性に優れた回路基板ユニットを得ることができる。
【００６３】
［３．他の実施形態］
以上、本開示の実施形態について説明したが、本開示は、上記実施形態に限定されることなく、種々の形態を採り得ることは言うまでもない。
【００６４】
（３ａ）上記実施形態のブラケット付ケース１において、回転規制板４２は仮想軸Ｐを中心としたケース本体２のブラケット４に対する相対的な回転を規制できれば、上述の形態に限定されない。例えば、回転規制板４２は、スライド板４１のスライド方向Ｓと直交する方向に延伸したものであってもよい。また、回転規制板４２は、ケース本体２から一定距離、離間して設けられてもよい。逆に、回転規制板４２は、ケース本体２に外力が加わっていない状態で、ケース本体２と当接してもよい。さらに、複数の回転規制板４２をブラケット４に設けてもよい。
【００６５】
（３ｂ）上記実施形態のブラケット付ケース１における固定部４３の形態は一例である。従って、固定部４３として、複数の貫通孔を有するものを用いてもよい。また、固定部４３として、ボルト止め以外の方法で他の部材に固定できる構成を採用してもよい。
【００６６】
（３ｃ）上記実施形態のブラケット付ケース１において、スライド板４１は、スライドによってケース本体２に係合可能であれば、その形状は上述のものに限定されない。従って、スリット４１Ａの位置や形状は任意に変更が可能である。また、フック部４１Ｂ、補助スリット４１Ｃ、凸条部４１Ｄ、回り止め部４４等についても、任意に省略や位置及び形状の変更をすることができる。さらに、上記実施形態とは逆に、スリットをケース本体２に設け、このスリットに係合するストッパ部２６Ａのような爪をスライド板４１に設けてもよい。
【００６７】
（３ｄ）上記実施形態のブラケット付ケース１において、スライド板４１のスライド方向Ｓは、必ずしもブラケット付ケース１の長手方向である必要はなく、例えばスライド方向Ｓがブラケット付ケース１の短手方向であってもよい。
【００６８】
（３ｅ）上記実施形態のブラケット付ケース１において、スライド板４１と、固定部４３の板状部４３Ａとは、必ずしも平行（つまり面一）に設けられる必要はない。例えば、板状部４３Ａの板面とスライド板４１の板面とは交差（より具体的には直交）していてもよい。
【００６９】
（３ｆ）上記実施形態のブラケット付ケース１において、ケース本体２の形状は必ずしも有底筒状である必要はない。例えば、両端が開放された筒状のケース本体２を用い、他の部材によってケース本体２の両端を閉塞してもよい。
【００７０】
（３ｇ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００７１】
１…ブラケット付ケース、２…ケース本体、３…端子挿通部、４…ブラケット、
２１…第１面、２２…第２面、２３…第３面、２４…第４面、２５…第５面、
２６…係合部、２６Ａ…ストッパ部、２６Ｂ…ガイド部、２７…嵌合爪、
３１…嵌合孔、４１…スライド板、４１Ａ…スリット、４１Ｂ…フック部、
４１Ｃ…補助スリット、４１Ｄ…凸条部、４２…回転規制板、４３…固定部、
４３Ａ…板状部、４３Ｂ…貫通孔、４４…回り止め部、４５…第１リブ、
４６…第２リブ、１０１…第１ケーブル、１０２…第２ケーブル。
【図１】
2018093025.tif 000003
【図２】
2018093025.tif 000004
【図３】
2018093025.tif 000005
【図４】
2018093025.tif 000006